(57)【要約】      （修正有）【課題】埃を堆積させることがなく、かつ汎用性に優れた、天井の落下防止構造を提供する。【解決手段】建築物１の室内空間３と建築物１の天井裏空間４とを区画する天井５の下方に配置される落下防止材２０を有する天井の落下防止構造において、落下防止材２０は、天井裏空間４側から室内空間３の天井５に沿って第１方向ｘに延在して天井裏空間４側に亘って張設される第１ワイヤ２１、第１ワイヤ２１との間で予め設定された離間距離を有して第１ワイヤ２１と平行しつつ天井裏空間４側から室内空間３の天井５に沿って第１方向ｘに延在して天井裏空間４側に亘って張設される第２ワイヤ２２、及び第２ワイヤ２２及び第１ワイヤ２１と交差する第２方向ｙに延在して第１ワイヤ２１と第２ワイヤ２２との間に張設される第３ワイヤを備える。【選択図】図１
2018076645.tif 000002
【特許請求の範囲】
【請求項１】
建築物の室内空間と該建築物の天井裏空間とを区画する天井の下方に配置されて該天井の一部または全部が落下する際に該天井の一部または全部を受け止める落下防止材を有する天井の落下防止構造において、
前記落下防止材は、
前記天井裏空間側において起点となる前記建築物の構造体側から前記天井を通過して前記室内空間側において前記天井に沿って第１方向に延在するとともに、前記室内空間側から前記天井を通過して前記天井裏空間側において終点となる前記構造体側に亘って張設される第１ワイヤと、
該第１ワイヤとの間で予め設定された離間距離を有して前記第１ワイヤと平行しつつ、前記天井裏空間側において起点となる前記建築物の前記構造体側から前記天井を通過して前記室内空間側において前記天井に沿って前記第１方向に延在するとともに、前記室内空間側から前記天井を通過して前記天井裏空間側において終点となる前記構造体側に亘って張設される第２ワイヤと、
該第２ワイヤ及び前記第１ワイヤと交差する第２方向に延在して前記第１ワイヤと前記第２ワイヤとの間に張設される第３ワイヤと、
を備えることを特徴とする天井の落下防止構造。
【請求項２】
前記第１ワイヤと前記第２ワイヤとの前記離間距離が、前記第１ワイヤと前記第２ワイヤとの間に前記天井の前記室内空間側に設けられる天井構造物を介在させることが可能な距離に設定されたことを特徴とする請求項１に記載の天井の落下防止構造。
【請求項３】
複数の前記第３ワイヤが予め設定された離間距離を互いに有して前記第１ワイヤと前記第２ワイヤとの間に張設され、
該各第３ワイヤの離間距離が、該各第３ワイヤの間に前記天井の前記室内空間側に設けられる前記天井構造物を介在させることが可能な距離に設定されたことを特徴とする請求項２に記載の天井の落下防止構造。
【請求項４】
前記天井には、前記第１ワイヤ及び第２ワイヤが通過する複数の通過孔が形成され、
該各通過孔のうちの一方の通過孔に前記天井裏空間側から前記第１ワイヤ及び第２ワイヤを案内するとともに、前記室内空間側から前記各通過孔のうちの他方の通過孔を通過した前記第１ワイヤ及び第２ワイヤを前記構造体側に案内する案内部材が前記天井に設けられたことを特徴とする請求項１〜３のいずれか１項に記載の天井の落下防止構造。
【発明の詳細な説明】
【技術分野】
【０００１】
本発明は、天井の落下防止構造、特に、建築物の室内空間と天井裏空間とを区画する天井の下方に配置され、天井の一部または全部が落下する際に、天井の一部または全部を受け止める落下防止材を有する天井の落下防止構造に関する。
【背景技術】
【０００２】
一般に、地震等により大震動が建築物に付与されると、その建築物の天井の一部または全部が落下する可能性があることから、落下を防止する対策を講じることが望ましい。このような対策として、特許文献１には、天井を下方から覆う天井落下防止用ネットが開示されている。
【０００３】
この特許文献１の天井落下防止用ネットは、横糸及び経糸が直交して編み込まれた格子状あるいは網目状のネットを備え、このネットによって、天井がその下方から被覆される。ネットには、例えば、天井から吊り下げられる照明器具や天井に設けられる火災報知器といった天井構造物を通過させる通過孔が形成されている。
【０００４】
特許文献１の天井落下防止用ネットによれば、天井構造物とネットとの干渉が回避されつつ、ネットによって天井が下方から覆われることから、建築物に大震動が付与されて天井が破損した場合であっても、落下する天井の一部または全部がネットによって受け止められる。
【先行技術文献】
【特許文献】
【０００５】
【特許文献１】特開２０１５−６３８１１公報
【発明の概要】
【発明が解決しようとする課題】
【０００６】
しかし、特許文献１の天井落下防止用ネットによれば、ネットが格子状あるいは網目状に形成されて横糸及び経糸の間が比較的狭隘となっていることから、横糸及び経糸に亘って、横糸及び経糸の上に埃が堆積しやすくなる。このように、ネットに埃が堆積して堆積限度を超えると、堆積した埃が塊となって、格子状あるいは網目状の隙間から落下することが懸念される。
【０００７】
さらに、特許文献１の天井落下防止用ネットでは、この天井落下防止用ネットが設置される個々の建築物において、天井構造物とネットとの干渉を回避させるべく、各種の天井構造物が天井に配置される位置に応じて通過孔を形成する必要があることから、汎用性に欠けることが懸念される。その結果、天井落下防止用ネットを設置するコストも増大することが懸念される。
【０００８】
本発明は、上記事情に鑑みてなされたものであり、埃を堆積させることを抑制するとともに汎用性に優れた、天井の落下防止構造を提供することを課題とするものである。
【課題を解決するための手段】
【０００９】
上記課題を解決するための請求項１に記載の発明による天井の落下防止構造は、建築物の室内空間と該建築物の天井裏空間とを区画する天井の下方に配置されて該天井の一部または全部が落下する際に該天井の一部または全部を受け止める落下防止材を有する天井の落下防止構造において、前記落下防止材は、前記天井裏空間側において起点となる前記建築物の構造体側から前記天井を通過して前記室内空間側において前記天井に沿って第１方向に延在するとともに、前記室内空間側から前記天井を通過して前記天井裏空間側において終点となる前記構造体側に亘って張設される第１ワイヤと、該第１ワイヤとの間で予め設定された離間距離を有して前記第１ワイヤと平行しつつ、前記天井裏空間側において起点となる前記建築物の前記構造体側から前記天井を通過して前記室内空間側において前記天井に沿って前記第１方向に延在するとともに、前記室内空間側から前記天井を通過して前記天井裏空間側において終点となる前記構造体側に亘って張設される第２ワイヤと、該第２ワイヤ及び前記第１ワイヤと交差する第２方向に延在して前記第１ワイヤと前記第２ワイヤとの間に張設される第３ワイヤと、を備えることを特徴とする。
【００１０】
この構成によれば、第１ワイヤ、第２ワイヤ及び第３ワイヤを備える落下防止材が天井の下方に配置されていることから、建築物に大震動が付与されて天井の一部または全部が破損によって落下した場合であっても、落下する天井の一部または全部が落下防止材によって受け止められる。
【００１１】
この落下防止材の第２ワイヤは、第１ワイヤとの間で予め設定された離間距離を有して張設されるところ、この離間距離が天井に対して比較的に大きな任意の距離に設定されていれば、第１ワイヤと第２ワイヤとの間に亘って埃が堆積することがなく、第１ワイヤと第３ワイヤとの間に亘っては埃の堆積がしにくく、及び第２ワイヤと第３ワイヤとの間に亘っても埃の堆積がしにくくなる。その結果、埃の堆積による埃の塊の落下を抑制することができる。
【００１２】
さらに、既存の個別の建築物の天井に対応して、第１ワイヤと第２ワイヤとの離間距離を設定することができることから、汎用性に優れる。
【００１３】
請求項２に記載の発明による天井の落下防止構造は、請求項１に記載の天井の落下防止構造において、前記第１ワイヤと前記第２ワイヤとの前記離間距離が、前記第１ワイヤと前記第２ワイヤとの間に前記天井の前記室内空間側に設けられる天井構造物を介在させることが可能な距離に設定されたことを特徴とする。
【００１４】
この構成によれば、第１ワイヤと第２ワイヤとの離間距離が、天井に設けられる天井構造物を介在させることが可能な距離に設定されていることから、この離間距離を比較的大きく確保することができる。
【００１５】
請求項３に記載の発明による天井の落下防止構造は、請求項２に記載の天井の落下防止構造において、複数の前記第３ワイヤが予め設定された離間距離を互いに有して前記第１ワイヤと前記第２ワイヤとの間に張設され、該各第３ワイヤの離間距離が、該各第３ワイヤの間に前記天井の前記室内空間側に設けられる前記天井構造物を介在させることが可能な距離に設定されたことを特徴とする。
【００１６】
この構成によれば、複数の第３ワイヤの互いの離間距離が、天井に設けられる天井構造物を介在させることが可能な距離に設定されていることから、この離間距離を比較的大きく確保することができる。
【００１７】
請求項４に記載の発明による天井の落下防止構造は、請求項１〜３のいずれか１項に記載の天井の落下防止構造において、前記天井には、前記第１ワイヤ及び第２ワイヤが通過する複数の通過孔が形成され、該各通過孔のうちの一方の通過孔に前記天井裏空間側から前記第１ワイヤ及び第２ワイヤを案内するとともに、前記室内空間側から前記各通過孔のうちの他方の通過孔を通過した前記第１ワイヤ及び第２ワイヤを前記構造体側に案内する案内部材が前記天井に設けられたことを特徴とする。
【００１８】
この構成によれば、第１ワイヤ及び第２ワイヤは、天井裏空間側から天井の一方の通過孔に通過せしめられる際に、案内部材によって一方の通過孔に案内される一方、室内空間側から天井の他方の通過孔に通過せしめられた後に、案内部材によって構造体に案内される。したがって、落下防止構造の設置を行うに際して、第１ワイヤ及び第２ワイヤを容易に張設することができる。
【発明の効果】
【００１９】
この発明によると、落下防止材に埃が堆積することが抑制されることから、埃の堆積による埃の塊の落下を減少させる、あるいはなくすことができる。
【００２０】
さらに、既存の個別の建築物の天井に対応して、第１ワイヤと第２ワイヤとの離間距離を設定することができることから、汎用性に優れる。
【図面の簡単な説明】
【００２１】
【図１】本発明の実施の形態に係る落下防止構造の概略を説明する概念図である。
【図２】図１のＡ矢視図である。
【図３】同じく、本実施の形態に係る落下防止構造の概略を説明する正面図である。
【図４】同じく、本実施の形態に係る落下防止構造における案内部材の概略を説明する図である。
【発明を実施するための形態】
【００２２】
次に、本発明の実施の形態について、図１〜図４に基づいて説明する。
【００２３】
図１は、本実施の形態に係る落下防止構造の概略を説明する概念図であり、図２は、図１のＡ矢視図である。図示のように、落下防止構造１０は、建築物１の室内空間３と天井裏空間４とを区画する天井５の一部または全部が落下する際に、天井５の一部または全部を受け止める目的で設置されるものである。この落下防止構造１０の具体的な説明に先立って、天井５の構成の概略を説明する。
【００２４】
図示のように、天井５は、棒材で格子状に組まれた野縁５ａ、及び野縁５ａの下部に貼り付けられる天井板５ｂによって構成される。この天井板５ｂには、本実施の形態では、天井板５ｂの厚み方向に貫通する複数の通過孔５ｃが形成されており、各通過孔５ｃには、スリーブ６が嵌装されている。
【００２５】
次に、落下防止構造１０について説明する。
【００２６】
落下防止構造１０は、天井５の下方に配置される落下防止材２０、この落下防止材２０を天井５の下方に張設する吊金具３０、及び落下防止材２０を天井５の通過孔５ｃに案内するとともに屋根材２に設けられた構造体である梁８に案内する案内部材４０を主要構成として備える。
【００２７】
落下防止材２０は、本実施の形態では、第１ワイヤ２１、第１ワイヤ２１と平行して張設される第２ワイヤ２２、及び第１ワイヤ２１と第２ワイヤ２２との間で第１ワイヤ２１と第２ワイヤ２２に交差して張設される複数の第３ワイヤ２３によって構成される。
【００２８】
第１ワイヤ２１は、本実施の形態では、第１ワイヤ本体２１Ａ、第１ワイヤ端末２１Ｂ、及び中継部材であるターンバックル２１Ｃによって構成され、起点となる天井躯体２から天井５の下方に延在して、終点となる梁８に亘って張設される。
【００２９】
具体的には、第１ワイヤ本体２１Ａは、その基端部２１Ａａ側において、起点となる建築物１の梁８に取り付けられた吊金具３０に設けられ、天井裏空間４側から案内部材４０に案内されて、天井５の一方の通過孔５ｃを通過して、室内空間３側において天井５に沿って矢線ｘで示す第１方向に延在する。
【００３０】
続いて、第１ワイヤ本体２１Ａは、室内空間３側から天井５の他方の通過孔５ｃを通過して案内部材４０に案内され、天井裏空間４側において、その先端部２１Ａｂが、ターンバックル２１Ｃの環状の一端部２１Ｃａに巻きつけられ、巻きつけられた状態で、ワイヤクリップ２５によって係止される。
【００３１】
このターンバックル２１Ｃの環状の他端部２１Ｃｂに、第１ワイヤ端末２１Ｂの基端部２１Ｂａが巻きつけられ、巻きつけられた状態で、ワイヤクリップ２５によって係止される。一方、第１ワイヤ端末２１Ｂの先端部２１Ｂｂが、終点となる建築物１の梁８に取り付けられた吊金具３０に設けられる。
【００３２】
第２ワイヤ２２は、本実施の形態では、第２ワイヤ本体２２Ａ、第２ワイヤ端末２２Ｂ、及び中継部材であるターンバックル２２Ｃによって構成され、第１ワイヤ２１に対して矢線ｙで示す第２方向において予め設定された離間距離ｄ１を有して第１ワイヤ２１と平行するように、起点となる天井躯体２から天井５の下方に延在して終点となる梁８に亘って張設される。
【００３３】
第１ワイヤ２１と第２ワイヤ２２との第２方向において予め設定された離間距離ｄ１は、本実施の形態では、第１ワイヤ２１と第２ワイヤ２２との間に天井５の室内空間３側に設けられた天井構造物である、空調装置の噴出口７を介在させることが可能な距離に設定されている。
【００３４】
第２ワイヤ本体２２Ａは、その基端部２２Ａａ側において、起点となる建築物１の梁８に取り付けられた吊金具３０に設けられ、天井裏空間４側から案内部材４０に案内されて、天井５の一方の通過孔５ｃを通過して、室内空間３側において天井５に沿って矢線ｘで示す第１方向に延在する。
【００３５】
続いて、第２ワイヤ本体２２Ａは、室内空間３側から案内部材４０に案内されて、天井５の他方の通過孔５ｃを通過して、天井裏空間４側において、その先端部２２Ａｂが、ターンバックル２２Ｃの環状の一端部２２Ｃａに巻きつけられ、巻きつけられた状態で、ワイヤクリップ２５によって係止される。
【００３６】
このターンバックル２２Ｃの環状の他端部２２Ｃｂに、第２ワイヤ端末２２Ｂの基端部２２Ｂａが巻きつけられ、巻きつけられた状態で、ワイヤクリップ２５によって係止される。一方、第２ワイヤ端末２２Ｂの先端部２２Ｂｂが、終点となる建築物１の梁８に取り付けられた吊金具３０に設けられる。
【００３７】
第３ワイヤ２３は、第１ワイヤ２１及び第２ワイヤ２２と交差する第２方向ｙに延在して、第１ワイヤ２１と第２ワイヤ２２との間に張設される。具体的には、第３ワイヤ２３の両端部が第１ワイヤ２１及び第２ワイヤ２２にそれぞれ巻きつけられた状態で、ワイヤクリップ２５によって係止される。
【００３８】
この第３ワイヤ２３は、本実施の形態では、第１方向ｘにおいて予め設定された離間距離ｄ２を有して複数が張設されており、この各第３ワイヤ２３の離間距離ｄ２は、各第３ワイヤ２３の間に天井５の室内空間３側に設けられた天井構造物である、空調装置の噴出口７を介在させることが可能な距離に設定されている。
【００３９】
これら第１ワイヤ本体２１Ａ、第１ワイヤ端末２１Ｂ、第２ワイヤ本体２２Ａ、第２ワイヤ端末２２Ｂ及び第３ワイヤ２３は、本実施の形態では、金属製の複数の素線が撚り合わせられて形成されており、一定の強度及び柔軟性を有する。
【００４０】
吊金具３０は、建築物１の梁８に取り付けられ、本実施の形態では、複数の梁８の間において第１ワイヤ２１及び第２ワイヤ２２を張設するために用いられている。
【００４１】
この吊金具３０は、梁８に取り付けられる取付部３１、取付部３１による梁８への取付状態を補強する補強部３２、及び基端部２１ａ側において第１ワイヤ２１が取り付けられる吊下部３３を備える。
【００４２】
吊下部３３は、本実施の形態では、アイボルトによって構成され、アイボルトのフック部分に第１ワイヤ端末２１Ｂの先端部２１Ｂｂあるいは第２ワイヤ端末２２Ｂの先端部２２Ｂｂが巻きつけられ、巻きつけられた状態でワイヤクリップ２５によって先端部２１Ｂｂあるいは先端部２２Ｂｂが係止されて、第１ワイヤ２１あるいは第２ワイヤ２２が吊下部３３に取り付けられる。
【００４３】
図３は、本実施の形態に係る案内部材４０の概略を説明する正面図であり、図４は、本実施の形態に係る案内部材４０の概略を説明する側面図である。図示のように、案内部材４０は、底部４１ａ及び底部４１ａに対して折曲形成された側部４１ｂを有する断面Ｌ字型であって、この断面形状で第２方向ｙに延在する基部４１を主要構成として備える。
【００４４】
基部４１の側部４１ｂには、アイボルトによって構成されたガイド部４２が、ナット４３によって取り付けられており、アイボルトのフック部分が天井板５ｂに形成された通過孔５ｃと同心となるように野縁５ａの上に配置され、この状態で、固定ボルト４４及び固定ナット４５によって基部４１が野縁５ａに固定される。
【００４５】
第１ワイヤ本体２１Ａあるいは第２ワイヤ本体２２Ａが、天井裏空間４側から天井５の通過孔５ｃを通過する際は、アイボルトによって構成されたガイド部４２のフック部分に挿通されることによって、第１ワイヤ本体２１Ａあるいは第２ワイヤ本体２２Ａが、天井５の一方の通過孔５ｃに案内される。
【００４６】
同様に、第１ワイヤ本体２１Ａあるいは第２ワイヤ本体２２Ａが、室内空間３側から天井５の他方の通過孔５ｃに通過されることによって、第１ワイヤ本体２１Ａあるいは第２ワイヤ本体２２Ａが、アイボルトによって構成されたガイド部４２のフック部分にガイドされて、終点となる建築物１の梁８に設けられた吊金具３０に案内される。
【００４７】
ガイド部４２のフック部分に第１ワイヤ本体２１Ａあるいは第２ワイヤ本体２２Ａが挿通される際は、ワイヤクリップ２５によって第１ワイヤ本体２１Ａあるいは第２ワイヤ本体２２Ａが把持される。
【００４８】
このように、本実施の形態の落下防止構造１０によれば、第１ワイヤ２１、第２ワイヤ２２及び第３ワイヤ２３で構成された落下防止材２０が、天井５の下方に配置されていることから、建築物１に大震動が付与されて天井５の一部または全部が破損によって落下した場合であっても、落下する天井５の一部または全部が落下防止材２０によって受け止められる。
【００４９】
この落下防止材２０は、本実施の形態では、第１ワイヤ２１及び第２ワイヤ２２が互いに離間距離ｄ１を有して張設され、複数の第３ワイヤ２３が第１方向ｘにおいて予め設定された離間距離ｄ２を有して張設されているところ、これら離間距離ｄ１及びｄ２が例えば、天井５の室内空間３側に設けられた空調装置の噴出口７を介在させることが可能な距離であれば、これら各ワイヤの離間距離ｄ１及びｄ２を、比較的大きく確保することができる。
【００５０】
したがって、第１ワイヤ２１と第２ワイヤ２２との間に亘って埃が堆積することがなく、第１ワイヤ２１と第３ワイヤ２３との間に亘っては埃の堆積がしにくく、第２ワイヤ２２と第３ワイヤ２３との間に亘っても埃の堆積がしにくくなる。その結果、埃の堆積による埃の塊の落下を抑制することができる。
【００５１】
さらに、第１ワイヤ２１と第２ワイヤ２２との離間距離ｄ１、及び各第３ワイヤ２３の離間距離ｄ２を、天井５に設けられる天井構造物（例えば照明器具や火災報知器、あるいは空調装置の噴出口等）を介在させる離間距離に予め設定することにより、既存の建築物１の天井５に設けられた天井構造物に応じて落下防止構造１０を設置することができることから、汎用性に優れる。
【００５２】
しかも、天井構造物を介在させて落下防止材２０が設置されることから、落下防止材２０が設置された状態のままで、天井構造物の保守や点検を行うことができる。
【００５３】
一方で、第１ワイヤ２１と第２ワイヤ２２との離間距離ｄ１、及び各第３ワイヤ２３の離間距離ｄ２は、比較的大きく確保することができることから、落下防止材２０を天井５の面に対して粗にすることができる。したがって、天井５の意匠性を大きく損なうことがなく、かつ室内空間３において圧迫感を与えることもない。
【００５４】
さらに、本実施の形態では、落下防止構造１０は、案内部材４０を備えることから、天井５の通過孔５ｃに第１ワイヤ２１あるいは第２ワイヤ２２を通過させる際に、第１ワイヤ本体２１Ａの先端部２１Ａａ、あるいは第２ワイヤ本体２２Ａの先端部２２Ａａが一方の通過孔５ｃに案内される。
【００５５】
同様に、天井５の他方の通過孔５ｃに第１ワイヤ２１あるいは第２ワイヤ２２を通過させた後に、第１ワイヤ本体２１Ａの先端部２１Ａａ、あるいは第２ワイヤ本体２２Ａの先端部２２Ａａが案内部材４０のガイド部４２にガイドされて、第１ワイヤ２１あるいは第２ワイヤ２２が、終点となる天井躯体２に設けられた建築物１の梁６に設けられた吊金具３０に案内される。
【００５６】
したがって、落下防止構造１０の設置を行うに際して、第１ワイヤ２１及び第２ワイヤ２２を容易に張設することができる。
【００５７】
なお、本発明は上記実施の形態に限定されることはなく、発明の趣旨を逸脱しない範囲で種々変更可能である。上記実施の形態では、第１ワイヤ２１及び第２ワイヤ２２が一対で設けられることを説明したが、天井５の広狭に応じて、複数の第１ワイヤ２１及び第２ワイヤを設けることができる。
【符号の説明】
【００５８】
１    建築物
２    屋根材
３    室内空間
４    天井裏空間
５    天井
５ｃ    通過孔
７    天井構造物
８    梁（構造体）
１０    落下防止構造
２０    落下防止材
２１    第１ワイヤ
２２    第２ワイヤ
２３    第３ワイヤ
３０    吊金具
４０    案内部材
ｄ１    離間距離
ｄ２    離間距離
ｘ    第１方向
ｙ    第２方向
【図１】
2018076645.tif 000003
【図２】
2018076645.tif 000004
【図３】
2018076645.tif 000005
【図４】
2018076645.tif 000006